(57)【要約】【課題】  振動・消費馬力の増大を抑えつつ反転性を向上させることができる耕耘爪を提供する。【解決手段】  爪軸２に取り付けられる基部３と、基部３から延びる直刃部４と、直刃部４から延びる湾曲部５とを有し、直刃部４から湾曲部５にかけて回転方向Ａと逆向きに湾曲されていると共に湾曲部５は基部３の一側面から他側面側へと湾曲状に曲げられており、直刃部４から湾曲部５にかけて回転方向Ａ前側に刃部６を有する耕耘爪において、基部３の一側面から湾曲部５の湾曲方向先端部１１までの爪軸２に沿った距離である爪高さ８を略７０ｍｍとし、湾曲部５の曲げ半径である先曲げＲ９を略８０ｍｍとし、刃部６の刃縁６ａの先端部Ｃと爪軸軸芯Ｏとを結ぶ線Ｄに直交し且つ前記先端部Ｃから前記回転方向Ａと逆側に延びる線Ｅと、湾曲部５の折れ曲がり開始線Ｂと平行で且つ前記先端部Ｃから耕耘爪の峰１２側に延びる線Ｆとのなす角度である切削角１０を略３７°とする。【選択図】図１
2010075098.tif 000002
【特許請求の範囲】
【請求項１】
爪軸（２）に取り付けられ、この爪軸（２）を回転させて該爪軸（２）の軸芯（Ｏ）を中心として回転させることで土壌を耕耘する耕耘爪であって、
爪軸（２）に取り付けられる基部（３）と、この基部（３）から延びる直刃部（４）と、この直刃部（４）から延びる湾曲部（５）とを有し、直刃部（４）から湾曲部（５）にかけて回転方向（Ａ）と逆向きに湾曲されていると共に前記湾曲部（５）は基部（３）の一側面から他側面側へと湾曲状に曲げられており、直刃部（４）から湾曲部（５）にかけて回転方向（Ａ）前側に刃部（６）を有する耕耘爪において、
基部（３）の一側面から湾曲部（５）の湾曲方向先端部（１１）までの爪軸（２）に沿った距離である爪高さ（８）を略７０ｍｍとし、
湾曲部（５）の曲げ半径である先曲げＲ（９）を略８０ｍｍとし、
刃部（６）の刃縁（６ａ）の先端部（Ｃ）と爪軸軸芯（Ｏ）とを結ぶ線（Ｄ）に直交し且つ前記先端部（Ｃ）から前記回転方向（Ａ）と逆側に延びる線（Ｅ）と、湾曲部（５）の折れ曲がり開始線（Ｂ）と平行で且つ前記先端部（Ｃ）から耕耘爪の峰（１２）側に延びる線（Ｆ）とのなす角度である切削角（１０）を略３７°としたことを特徴とする耕耘爪。
【発明の詳細な説明】
【技術分野】
【０００１】
本発明は、ロータリ耕耘装置の爪軸に装着して使用される耕耘爪に関するものである。
【背景技術】
【０００２】
従来、多数の耕耘爪が装着された爪軸を回転させることにより、土壌を耕起し、反転し、砕土するロータリ耕耘装置があり、このロータリ耕耘装置に採用される耕耘爪として、爪軸に取り付けられる基部と、この基部から延びる直刃部と、この直刃部から延びる湾曲部とを有し、直刃部から湾曲部にかけて回転方向と逆向きに湾曲されていると共に前記湾曲部は基部の一側面から他側面に向かう側に湾曲状に曲げられており、直刃部から湾曲部にかけて回転方向前側に刃部を有する、なた爪と称される耕耘爪がある（特許文献１参照）。
【特許文献１】特許第３０９８１８８号公報
【発明の開示】
【発明が解決しようとする課題】
【０００３】
従来の耕耘爪は低振動・低馬力が重視された設計とされており、反転性はそれほど重視されていなかった。
また、従来、稲わらは焼却処理が行われているが、住宅街に近い圃場では、稲わらの焼却によって生じる煙が問題となって、稲わらの焼却処理ができなくなってきている。
また、稲わらを回収するにしても、手間隙がかかり実現性がない。
一方、秋に圃場を耕す秋起こし作業が行われるが、この秋起こし作業は、圃場の膨軟化、土中への空気の挿入、害虫の駆除等から必ず行わなければならない作業であり、この秋起こし作業のときに、稲わらを土中に埋め込んでしまえば、自然と稲わらが腐ってたい肥化されるので、焼却や回収の必要がない。
【０００４】
そこで、耕耘爪の設計にあたり反転性を重視した設計をしてやればよいが、ただ単に、反転性をよくすると、振動・消費馬力が大きくなるという問題が生じる。
そこで、本発明は、耕耘爪の爪形状を追求し、振動・消費馬力の増大を抑えつつ反転性を向上させることができる耕耘爪を提供することを目的とする。
【課題を解決するための手段】
【０００５】
前記技術的課題を解決するために本発明が講じた技術的手段は、爪軸に取り付けられ、この爪軸を回転させて該爪軸の軸芯を中心として回転させることで土壌を耕耘する耕耘爪であって、
爪軸に取り付けられる基部と、この基部から延びる直刃部と、この直刃部から延びる湾曲部とを有し、直刃部から湾曲部にかけて回転方向と逆向きに湾曲されていると共に前記湾曲部は基部の一側面から他側面側へと湾曲状に曲げられており、直刃部から湾曲部にかけて回転方向前側に刃部を有する耕耘爪において、
基部の一側面から湾曲部の湾曲方向先端部までの爪軸に沿った距離である爪高さを略７０ｍｍとし、
湾曲部の曲げ半径である先曲げＲを略８０ｍｍとし、
刃部の刃縁の先端部と爪軸軸芯とを結ぶ線に直交し且つ前記先端部から前記回転方向と逆側に延びる線と、湾曲部の折れ曲がり開始線と平行で且つ前記先端部から耕耘爪の峰側に延びる線とのなす角度である切削角を略３７°としたことを特徴とする。
【発明の効果】
【０００６】
本発明によれば、振動・消費馬力の増大を抑えつつ反転性を向上させることができる耕耘爪を提供することができる。
【発明を実施するための最良の形態】
【０００７】
以下、本発明の実施の形態を図面を参照して説明する。
図１において、１は、例えば、トラクタ装着型のロータリ耕耘装置の爪軸２に取り付けられて、この爪軸２を回転させて該爪軸２の軸芯Ｏを中心として図１の矢示Ａ方向に回転させることで土壌を耕耘（耕起し、反転し、砕土）する耕耘爪（なた爪、なた刃）である。
この耕耘爪１は、板材によって形成されており、爪軸２に取り付けられる基部３と、この基部３から延びる直刃部４と、この直刃部４から延びる湾曲部５とを有し、直刃部４から湾曲部５にかけて耕耘爪１の回転方向Ａと逆向きに湾曲されている。
【０００８】
基部３には、耕耘爪１を爪軸２に固定されたホルダにボルト等によって固定するためのボルト挿通孔３ａが板厚方向に貫通形成されている。
また、直刃部４の板厚方向は、基部３の板厚方向と略一致しており、湾曲部５は基部３の板厚方向の一側面から他側面側へと（基部３及び直刃部４の一側方に）湾曲状に曲げられており、直刃部４から湾曲部５にかけて回転方向Ａ前側に刃部６を有する。
図中、線Ｂは直刃部４と湾曲部５との境界、すなわち湾曲部５の折れ曲がり開始線を示している。
【０００９】
また、前記湾曲部５の内側（湾曲側）のすくい面７は、直刃部４から湾曲部５の湾曲方向先端部１１側に至る大部分で曲面状であるが、湾曲方向先端部１１側の一部で平坦状の平面部７ａとされている。
耕耘爪１は、基部３の板厚方向が爪軸２の軸芯方向と一致する状態で爪軸２に取り付けられる。
この耕耘爪１を、トラクタに装着されたロータリ耕耘装置の爪軸２に装着して、トラクタを走行させながら該爪軸２を回転駆動させると、耕耘爪１は爪軸２の軸芯Ｏを中心として、図１の矢示Ａ方向に回転し、直刃部４から土中に突入して土を進行方向に切断すると共に湾曲部５が土中に突入して土を左右方向（爪軸２の軸芯方向）所定幅で切削して耕起し、この耕起された土は、湾曲部５のすくい面７で抱きかかえられ、湾曲部５が土中から抜け出た後に、進行方向後方側に放てき反転される。
【００１０】
本実施形態の耕耘爪１は、爪高さ８が略７０ｍｍとされ、先曲げＲ９が略８０ｍｍとされ、切削角１０が略３７°とされている。
爪高さ８は、基部３の一側面（湾曲部の湾曲側とは反対側の側面）から湾曲部５の湾曲方向先端部１１までの爪軸２の軸芯Ｏ方向に沿った距離である。
また、先曲げＲ９は湾曲部５の曲げ半径（曲率半径）である。
また、切削角１０は、刃部６の刃縁６ａの先端部Ｃと爪軸軸芯Ｏとを結ぶ線Ｄに直交し且つ刃部６の刃縁６ａの先端部Ｃから耕耘爪１の回転方向Ａと逆側に延びる線Ｅと、湾曲部５の折れ曲がり開始線Ｂと平行で且つ刃部６の刃縁６ａの先端部Ｃから耕耘爪１の峰１２側（刃が形成されていない側）に延びる線Ｆとのなす角度である。
【００１１】
前記構成の耕耘爪１にあっては、爪高さ８を略７０ｍｍとし、先曲げＲ９を略８０ｍｍとし、切削角１０を略３７°とすることにより、従来の耕耘爪１と比較して、振動・消費馬力の増大を抑えつつ耕土の反転性を向上させることができた。
したがって、本実施形態の耕耘爪１を用いて秋起こしを行うことにより、稲わらが土中に埋め込まれ、春の田植え前までに稲わらが腐る。これにより、わらの焼却処理の必要がなく、また回収の必要もなくなる。また、秋起こしのときに、同時に稲わらの処理をするので、作業の追加も必要としない。また、耕耘爪１の厚み・幅は変更しないので、基部３の寸法は従来と変更がなく、したがって爪軸２を変更する必要もなく、本実施形態の耕耘爪１は交換用爪としても使える。
【００１２】
次に、従来の耕耘爪１から改良を施して本発明の耕耘爪１に至った理由を、下記の表１を参照して述べる。
耕耘爪１の諸元のうち爪の性能を決める上で重要な要素は、爪高さ８、先曲げＲ９、切削角１０であるので、これらの諸元の寸法を変更することにより、爪の反転性能等にどう影響を与えるかの試験を、耕耘爪１を爪軸２に取り付けて実際に土壌を耕耘する実地試験で行った。
表１は、試験を行った５０Ａ及び改１〜７の耕耘爪１の爪高さ８、先曲げＲ９、切削角１０の寸法と、これら５０Ａ及び改１〜７の耕耘爪１についてＡ〜Ｉの異なる地域で試験を行った結果の稲わらの埋込み評価点とを、比較する耕耘爪１ごとに４つの表に分けて示している。
【００１３】
また、Ａ，Ｂ,Ｄ,Ｆ〜Ｉの各地域において、１，２は、各地域内での異なる試験場所（第１地区、第２地区）を示している。
また、表１のＮｏ２〜３の各表における優地域数の数値は、同じ試験場所での評価点の比較において、耕耘爪１が優良評価点（評価点の数値が高いもの）を受けた試験場所の合計数である。
表１において、５０Ａは従来の耕耘爪１を示し、改１〜７は、従来の耕耘爪１に対して爪高さ８、先曲げＲ９又は切削角１０の寸法を変更した耕耘爪１を示しており、本発明の耕耘爪１は改７とされている。
【００１４】
また、表１の各表において、爪高さ８、先曲げＲ９の単位はミリメートルであり、切削角１０の単位は度である。
５０Ａ及び改１〜７の耕耘爪１についてのＡ〜Ｉ地域での稲わら埋込み評価点は、現行の耕耘爪１を１００としたときの指数で表しており、数値が大きいほど稲わらが良好に埋め込まれる（反転性がよい）ことを示している。
【００１５】
【表１】
2010075098.tif 000003
【００１６】
耕耘爪１の反転性を向上させるには、反転面積を増やしてやればよく、そのためには、爪高さ８を増やして反転のための面積（すくい面７の面積）を増やすことが最も有効である。
次に、先曲げＲ９を小さくして、すくい面７（反転面積部分）の曲面部分を少なくして平面部を増やすのがよい。
そこで、先ず、表１のＮｏ１に示すように、すくい面７（反転面）を増やすように爪高さ８を現行より２０ｍｍ増やした改１の耕耘爪１と、爪高さ８を現行より２０ｍｍ増やすと共に先曲げＲ９を現行より２０ｍｍ大きくした改２の耕耘爪１とを比較した。
【００１７】
爪高さ８を増やすということは、湾曲部５を耕耘爪１の長手方向に延長させる（材料を増やす）ことである。
試験結果から、改２の耕耘爪１に比べて改１の耕耘爪１の方が反転性はよかった。
これは、先曲げＲ９は小さい方が反転性を向上させるのによいということを表している。
ただし、爪高さ８をあまり増やすと耕耘爪１を爪軸２に取り付けたときに、耕耘爪１同士の間隔が接近することとなり、耕耘爪１間で土を抱き込んでしまう惧れがある。これを避けるためには爪軸２に取り付けることができる耕耘爪１の本数を減らすことが考えられるが、そうすると砕土性が落ちることとなるので、爪高さ８を増やし且つ爪軸２に取り付けることができる耕耘爪１の本数を減らさないようにするために、現行よりも爪高さ８の増加量は２０ｍｍより低くすることとした。
【００１８】
次に、表１のＮｏ２に示すように、爪高さ８を現行より１０ｍｍ増やした７５ｍｍとすると共に切削角１０を現行より２°大きくした改３の耕耘爪１と、爪高さ８を７５ｍｍとすると共に切削角１０を現行より３°小さくした改４の耕耘爪１とを比較した。
試験の結果から、改３の耕耘爪１に比べ切削角１０の小さい改４の耕耘爪１の方が反転性が良好なのに加え振動が非常に少なかった。
そこで、改４をベースとして、爪高さ８、先曲げＲ９、切削角１０の寸法を変更することとした。
【００１９】
表１のＮｏ３に示すように、先曲げＲ９を改４よりも２０ｍｍ小さい８０ｍｍとすると共にこれに伴って切削角１０が４０°となる改５の耕耘爪１と、先曲げＲ９を８０ｍｍとすると共に切削角１０を改４よりも４°小さい３７°とした改６の耕耘爪１とを比較した。
試験の結果、改５、改６ともに改４よりも反転性はよかった。
これは、前述したとおり、先曲げＲ９は小さい方が反転性に有利であることを示している。
【００２０】
また、切削角１０については、大きい方が反転性がよいということが優地域数の値で表れているが、切削角１０が大きいと高馬力で振動が大きい。振動が大きいのは避けたいので、改５より切削角１０の小さい改６を採った。
なお、表１のＮｏ３において、稲わら埋込み評価点の合計値では改６の耕耘爪１の値が高いが、これはＧ地域の２での試験結果の値が異常値であったためであると思われる。
したがって、改６の耕耘爪１は、反転性が良好でありながら、馬力が落ちず、振動も少ない。ただし、現行から３つの諸元を変更したことで、現行よりも省馬力、振動の面では不利になっている。
【００２１】
そこで、表１のＮｏ４に示すように、爪高さ８を改６の耕耘爪１よりも５ｍｍ小さくした改７の耕耘爪１を作った。
試験結果から、改７の耕耘爪１は、改６の耕耘爪１に対して反転性能をあまり損なわず、馬力、振動を改善することができたと言えるものであった。
以上のことから、改７の耕耘爪１が、従来の耕耘爪１と比較して、振動・消費馬力の増大を抑えつつ耕土の反転性を向上させることができるものといえる。
なお、表１のＮｏ３のＧ地域の１における改５の耕耘爪１の稲わら埋込み評価点、Ｎｏ４のＧ地域の１及びＩ地域の２における改７の耕耘爪１の稲わら埋込み評価点は現行のものよりも低いが、これはそれぞれの耕耘爪１の試験場所の状態が悪かったためであることが考えられる。
【図面の簡単な説明】
【００２２】
【図１】（ａ）は耕耘爪の側面図、（ｂ）は直刃部の中途部から湾曲部の先端部までの底面図である。
【符号の説明】
【００２３】
２    爪軸
３    基部
４    直刃部
５    湾曲部
６    刃部
６ａ  刃縁
８    爪高さ
９    先曲げＲ
１０    切削角
１１    湾曲方向先端部
Ａ    回転方向
Ｂ    湾曲部の折れ曲がり開始線
Ｃ    刃部の刃縁先端部
Ｄ    刃部の刃縁先端部と爪軸軸芯とを結ぶ線
Ｅ    刃部の刃縁先端部と爪軸軸芯とを結ぶ線に直交し且つ刃部の刃縁先端          部から回転方向と逆側に延びる線
Ｆ    湾曲部の折れ曲がり開始線と平行で且つ刃部の刃縁先端部から耕耘爪          の峰側に延びる線
Ｏ    爪軸の軸芯
【図１】
2010075098.tif 000004